(57)【要約】【課題】  開閉手段がディスクカートリッジにアクセスされる時に、不要な接触を減らして信頼性高くシャッターをロッキングさせるように改善されたディスクドライブを提供する。【解決手段】  本体と、ディスクカートリッジを搭載して本体にローディング／アンローディングされるトレイと、第１ギア部と結合されて回転ホイールを回転させる第２ギア部と、第２ギア部の一端部に設置されて、第１ギア部と第２ギア部とが互いに噛み合うように回転ホイールを一時的に回転させる第１突起部とを具備して前記本体に設置される開閉手段と、トレイに設置されて、トレイがローディング／アンローディングされる時、第１突起部がラッチと干渉しないように第１突起部を押すガイド部とを含む。【選択図】      図４
2005228467.tif 000002
【特許請求の範囲】
【請求項１】
ディスクが収納され、かつ開口が設けられたケースと、前記開口を開閉するために回転されるものであり、その外周に第１ギア部が設けられた回転ホイールと、前記開口が閉じられた状態で前記回転ホイールをロッキングさせるラッチとを具備するディスクカートリッジを搭載するディスクドライブにおいて、
本体と、
前記ディスクカートリッジを搭載して前記本体にローディング／アンローディングされるトレイと、
前記第１ギア部と結合されて前記回転ホイールを回転させる第２ギア部と、前記第２ギア部の一端部に設置されて、前記第１ギア部と前記第２ギア部とが互いに噛み合うように前記回転ホイールを一時的に回転させる第１突起部とを具備して前記本体に設置される開閉手段と、
前記トレイに設置されて、前記トレイがローディング／アンローディングされる時、前記第１突起部が前記ラッチと干渉しないように前記第１突起部を押すガイド部とを含むことを特徴とするディスクドライブ。
【請求項２】
前記開閉手段は、前記第２ギア部の他端部に設けられて、前記開口が開放された状態で前記回転ホイールをロッキングさせる第２突起部をさらに具備し、
前記ガイド部は、前記トレイがローディング／アンローディングされる時、前記第２突起部が前記ラッチと干渉しないように前記第２突起部を押すことを特徴とする請求項１に記載のディスクドライブ。
【請求項３】
前記第１、第２突起部は、前記第２ギア部の先端部及び末端部から延びた第１、第２弾性アームにそれぞれ設けられたことを特徴とする請求項２に記載のディスクドライブ。
【請求項４】
前記第１、第２突起部を前記ディスクカートリッジ方向に付勢する第１、第２弾性部材をさらに具備することを特徴とする請求項３に記載のディスクドライブ。
【請求項５】
前記第１、第２突起部、第２ギア部はそれぞれ別途の部材として前記本体に設置され、前記第２ギア部、第１、第２突起部を前記ディスクカートリッジ側に付勢する第１ないし第３弾性部材をさらに具備することを特徴とする請求項２に記載のディスクドライブ。
【請求項６】
前記ディスクカートリッジの一側部には、前記第１、第２突起部が前記回転ホイールにアクセスできるように開放されたスロット部が設けられ、
前記トレイの一側部には、前記第１、第２突起部が前記スロット部を通じて前記回転ホイールにアクセスされる時に、前記スロット部の両端部と干渉しないように第１、第２突起部を回避させる第１接触防止部がさらに備えられたことを特徴とする請求項２に記載のディスクドライブ。
【請求項７】
前記ディスクカートリッジの一側部には、前記ディスクカートリッジが前記トレイにひっくり返された状態で装着されることを防止するための埋込部が設けられ、
前記トレイの一側部には、前記第１、第２突起部が前記埋込部と干渉しないように回避させる第２接触防止部がさらに備えられたことを特徴とする請求項２に記載のディスクドライブ。
【請求項８】
ディスクが収納され、かつ開口が設けられたケースと、前記開口を開閉するために回転されるものであり、その外周に第１ギア部が設けられた回転ホイールと、前記開口が閉じられた状態で前記回転ホイールをロッキングさせるラッチと、を具備するディスクカートリッジを搭載するディスクドライブにおいて、
本体と、
前記ディスクカートリッジを搭載して前記本体にローディング／アンローディングされるトレイと、
前記第１ギア部と結合されて前記回転ホイールを回転させる第２ギア部と、前記第２ギア部の先端部側に設置されて前記第１ギア部と前記第２ギア部とが互いに噛み合うように前記回転ホイールを一時的に回転させる第１突起部とを具備し、前記本体に設置される開閉手段を含み、前記ディスクカートリッジの一側部には、前記第１突起部を前記回転ホイールにアクセスするためのスロット部が備えられ、前記トレイの一側部には、前記第１突起部が前記スロット部の両端部と干渉しないように前記開閉手段を回避させる第１接触防止部が設けられたことを特徴とする請求項２に記載のディスクドライブ。
【請求項９】
前記ディスクカートリッジの一側部には、前記ディスクカートリッジが前記トレイにひっくり返された状態で装着されることを防止するための埋込部が設けられ、
前記トレイの一側部には、前記第１突起部が前記埋込部と干渉しないように回避させる第２接触防止部がさらに備えられたことを特徴とする請求項８に記載のディスクドライブ。
【請求項１０】
前記開閉手段は、前記第２ギア部の末端部側に設けられて、前記開口が開放された状態で前記回転ホイールをロッキングさせる第２突起部をさらに具備し、
前記第１接触防止部は、前記トレイがローディング／アンローディングされる時、前記第２突起部が前記スロット部の両端部と干渉しないように前記第２突起部を押すことを特徴とする請求項８に記載のディスクドライブ。
【請求項１１】
前記第１、第２突起部は、前記第２ギア部の先端部及び末端部から延びた第１、第２弾性アームにそれぞれ設けられたことを特徴とする請求項１０に記載のディスクドライブ。
【請求項１２】
前記第１、第２突起部を前記ディスクカートリッジ側に付勢する第１、第２弾性部材をさらに具備することを特徴とする請求項１１に記載のディスクドライブ。
【請求項１３】
前記第１、第２突起部、第２ギア部はそれぞれ別途の部材として前記本体に設置され、前記第２ギア部、第１、第２突起部を前記ディスクカートリッジ側に付勢する第１ないし第３弾性部材をさらに具備することを特徴とする請求項１０に記載のディスクドライブ。
【請求項１４】
ディスクが収納され、かつ開口が設けられたケースと、ローディング／アンローディング過程で前記開口を開閉するために回転されるものであり、その外周に第１ギア部が設けられた回転ホイールと、前記開口が閉じられた状態で前記回転ホイールをロッキングさせるラッチと、を具備するディスクカートリッジを搭載するディスクドライブにおいて、
前記回転ホイールを回転させて前記開口を開閉させる開閉手段を含み、
前記開閉手段は、
前記ローディング／アンローディング過程が開始される時に前記ラッチが解除された後、前記ローディング／アンローディング過程が終了する時に前記ラッチがロッキングされるまで前記第１ギア部に結合されて前記回転ホイールを回転させる第２ギア部と、
前記第２ギア部の先端に設置されて、前記第１ギア部と前記第２ギア部とが互いに噛み合うように前記回転ホイールを一時的に回転させる第１突起部と、
前記第１突起部を押して、前記ローディング／アンローディング過程で前記第１突起部が前記ラッチと干渉しないようにするガイド部とを含むことを特徴とするディスクドライブ。
【請求項１５】
前記開閉手段は、
前記第２ギア部の末端に設置されて、前記ディスクカートリッジがアンローディングされた時に前記回転ホイールをロッキングさせる第２突起部をさらに具備することを特徴とする請求項１４に記載のディスクドライブ。
【請求項１６】
前記第２突起部は、前記ローディング／アンローディング過程で前記ラッチと干渉しないことを特徴とする請求項１５に記載のディスクドライブ。
【請求項１７】
前記開閉手段は、前記第２ギア部の先端及び末端からそれぞれ延びた第１、第２弾性アームをさらに具備し、前記第１、第２突起部は前記第１、第２弾性アームにそれぞれ設けられることを特徴とする請求項１６に記載のディスクドライブ。
【請求項１８】
前記開閉手段は、前記第１、第２突起部をそれぞれ前記ディスクカートリッジに向かって付勢する第１、第２弾性部材をさらに具備することを特徴とする請求項１７に記載のディスクドライブ。
【請求項１９】
前記ディスクカートリッジの一側部にはスロットが設けられ、前記第１、第２突起部は前記スロットを通じて前記回転ホイールにアクセスされることを特徴とする請求項１６に記載のディスクドライブ。
【請求項２０】
前記第１、第２突起部が前記スロットを通じて前記回転ホイールにアクセスされる時に、前記スロットの両端部と干渉することを防止する第１接触防止部をさらに具備することを特徴とする請求項１９に記載のディスクドライブ。
【請求項２１】
前記ディスクカートリッジの一側部には、前記ディスクカートリッジが前記トレイにひっくり返された状態で装着されることを防止するための埋込部が設けられたことを特徴とする請求項１６に記載のディスクドライブ。
【請求項２２】
前記第１突起部が前記埋込部と干渉しないようにする第２接触防止部をさらに具備することを特徴とする請求項２１に記載のディスクドライブ。
【請求項２３】
前記第１、第２突起部は、前記ローディング／アンローディング過程で前記ラッチと干渉しないことを特徴とする請求項１５に記載のディスクドライブ。
【発明の詳細な説明】
【技術分野】
【０００１】
本発明は情報記録再生媒体であるディスクを収納して、ホコリや指紋のような汚染源からその記録面を保護するディスクカートリッジを搭載するディスクドライブに関する。
【背景技術】
【０００２】
近来にディスクの高容量化が進んでいる。同じ面積を持つディスクに高容量の情報を収容するためには情報を高密度で記録せねばならない。記録密度が高まるにつれてディスクの記録面がホコリや指紋などの異物で汚染されれば、情報の記録、再生特性に致命的な影響を及ぼすようになる。したがって、ディスクの記録面を異物から保護するためにディスクカートリッジを使用する傾向が普遍化されると予想される。
【０００３】
ディスクカートリッジには、ディスクを回転させるスピンドルモータと、ディスクの記録面に／から情報を記録／再生するピックアップがディスクに接近できるように開放された開口が設けられる。また、ディスクカートリッジには、開口を閉じていて必要に応じて開放されるシャッターが備えられる。また、ディスクカートリッジは、開口が閉じられた状態では、シャッターが外部の衝撃によって開放されないようにロッキングさせるラッチを具備する。
【０００４】
前述したようなディスクカートリッジを搭載して情報を記録／再生するディスクドライブは、ディスクカートリッジが搭載されるトレイと、開口を開閉させるための開閉手段とを具備する。開閉手段は、トレイのローディング／アンローディング動作と連動して開口を開閉する。ディスクカートリッジの一側部には開閉手段がラッチにアクセスできるようにスロット部を具備する。トレイがローディング／アンローディングされる過程で、開閉手段がスロット部の両端部と接触すれば騷音が発生しうる。スロット部の両端部は鋭いエッジ形態である場合が多いが、スロット部の両端部と開閉手段との反復的な接触によってスロット部の両端部または開閉手段が破損されることもある。
【０００５】
また、開閉手段は、ディスクカートリッジがローディングされればラッチを解除して開口を開放せねばならず、ディスクカートリッジがアンローディングされる時には開口を閉じた後にシャッターが開放されないようにラッチを作動させてシャッターをロッキングさせねばならない。シャッターが堅くロッキングされなければ、ディスクカートリッジを運搬する途中に開口が開いて、ディスクの記録面がホコリや指紋などの異物によって汚染されることがある。スロット部の両端部と開閉手段との反復的な接触によってスロット部の両端部または開閉手段が破損された場合には、シャッターを堅くロッキングさせ得ない問題点がある。
【発明の開示】
【発明が解決しようとする課題】
【０００６】
本発明は前記必要性を鑑みてなされたものであり、開閉手段がディスクカートリッジにアクセスされる時に、不要な接触を減らして信頼性高くシャッターをロッキングさせるように改善されたディスクドライブを提供するところにその目的がある。
【課題を解決するための手段】
【０００７】
前述した目的を達成するための本発明の一局面によるディスクドライブは、ディスクが収納され、かつ開口が設けられたケースと、前記開口を開閉するために回転されるものであり、その外周に第１ギア部が設けられた回転ホイールと、前記開口が閉じられた状態で前記回転ホイールをロッキングさせるラッチとを具備するディスクカートリッジを搭載するディスクドライブにおいて、本体と、前記ディスクカートリッジを搭載して前記本体にローディング／アンローディングされるトレイと、前記第１ギア部と結合されて前記回転ホイールを回転させる第２ギア部と、前記第２ギア部の一端部に設置されて、前記第１ギア部と前記第２ギア部とが互いに噛み合うように前記回転ホイールを一時的に回転させる第１突起部とを具備し、前記本体に設置される開閉手段と、前記トレイに設置されて、前記トレイがローディング／アンローディングされる時、前記第１突起部が前記ラッチと干渉しないように前記第１突起部を押すガイド部とを含むことを特徴とする。
【０００８】
一実施例として、前記開閉手段は、前記第２ギア部の他端部に設けられて、前記開口が開放された状態で前記回転ホイールをロッキングさせる第２突起部をさらに具備し、前記ガイド部は、前記トレイがローディング／アンローディングされる時、前記第２突起部が前記ラッチと干渉しないように前記第２突起部を押す。
【０００９】
一実施例として、前記第１、第２突起部、第２ギア部はそれぞれ別途の部材として前記本体に設置され、一つの単一部材として製造されることもある。
【００１０】
前述した目的を達成するための本発明の他の局面によるディスクドライブは、ディスクが収納され、かつ開口が設けられたケースと、前記開口を開閉するために回転されるものであり、その外周に第１ギア部が設けられた回転ホイールと、前記開口が閉じられた状態で前記回転ホイールをロッキングさせるラッチとを具備するディスクカートリッジを搭載するディスクドライブにおいて、本体と、前記ディスクカートリッジを搭載して前記本体にローディング／アンローディングされるトレイと、前記第１ギア部と結合されて前記回転ホイールを回転させる第２ギア部と、前記第２ギア部の先端部側に設置されて前記第１ギア部と前記第２ギア部とが互いに噛み合うように前記回転ホイールを一時的に回転させる第１突起部とを具備し、前記本体に設置される開閉手段を含み、前記ディスクカートリッジの一側部には、前記第１突起部を前記回転ホイールにアクセスするためのスロット部が備えられ、前記トレイの一側部には、前記第１突起部が前記スロット部の両端部と干渉しないように前記開閉手段を回避させる第１接触防止部が設けられたことを特徴とする。
【００１１】
一実施例として、前記ディスクカートリッジの一側部には、前記ディスクカートリッジが前記トレイにひっくり返された状態で装着されることを防止するための埋込部が設けられ、前記トレイの一側部には、前記第１突起部が前記埋込部と干渉しないように回避させる第２接触防止部がさらに備えられる。
【００１２】
前述した目的を達成するための本発明の他の局面によるディスクドライブは、ディスクが収納され、かつ開口が設けられたケースと、ローディング／アンローディング過程で前記開口を開閉するために回転されるものであり、その外周に第１ギア部が設けられた回転ホイールと、前記開口が閉じられた状態で前記回転ホイールをロッキングさせるラッチと、を具備するディスクカートリッジを搭載するディスクドライブにおいて、前記回転ホイールを回転させて前記開口を開閉させる開閉手段を含み、前記開閉手段は、前記ローディング／アンローディング過程が開始される時に前記ラッチが解除された後、前記ローディング／アンローディング過程が終了する時に前記ラッチがロッキングされるまで前記第１ギア部に結合されて前記回転ホイールを回転させる第２ギア部と、前記第２ギア部の先端に設置されて、前記第１ギア部と前記第２ギア部とが互いに噛み合うように前記回転ホイールを一時的に回転させる第１突起部と、前記第１突起部を押して、前記ローディング／アンローディング過程で前記第１突起部が前記ラッチと干渉しないようにするガイド部と、を含むことを特徴とする。
【発明の効果】
【００１３】
本発明によるディスクドライブによれば、次のような効果を得られる。
【００１４】
第１に、ディスクカートリッジを搭載したトレイがローディング／アンローディングされる過程で、開閉機構とディスクカートリッジとの不要な接触を防止することによって接触騷音を減らすことができる。また、開閉機構とディスクカートリッジとの反復的な接触によるディスクカートリッジまたは開閉機構の破損を防止して、信頼性高くシャッターをロッキング／アンロッキングさせることができる。
【００１５】
第２に、ディスクカートリッジを搭載したトレイがローディング／アンローディングされる過程で、シャッターをロッキングさせるラッチと開閉機構との不要な接触を防止することによって接触騷音を減らすことができ、また、トレイがアンローディングされる時に、ディスクカートリッジの開口が完全に閉じられた状態でシャッターをロッキングさせることができる。これによって、開口を通じてホコリなどの異物がディスクカートリッジ内部に流入されることを防止できる。
【発明を実施するための最良の形態】
【００１６】
以下、添付した図面を参照しつつ本発明の望ましい実施例を詳細に説明する。
【００１７】
図１は、本発明によるディスクドライブに搭載されるディスクカートリッジの一例を図示した分解斜視図である。図２及び図３はそれぞれ、開口が閉じられた状態と開いた状態とを図示した平面図である。
【００１８】
図１中、下部カバー１２０と上部カバー１１０とが結合されてその内部にディスクＤが収容されるケースを形成する。下部カバー１２０には開口１２１が形成されている。ディスクＤは、その記録面が開口１２１に向かうようにケースに収容される。ディスクカートリッジ１００には、開口１２１を開閉するための機構が備えられる。一例として、開口１２１を開閉するための機構は１対のシャッター１３０Ａ、１３０Ｂ、回転ホイール１４０、ラッチ１５０を含む。１対のシャッター１３０Ａ、１３０Ｂは、下部カバー１２０に回動自在に設置される。回転ホイール１４０は、シャッター１３０Ａ、１３０Ｂの上方に位置する。回転ホイール１４０の下側には１対の突出部１４０Ａ、１４０Ｂが設けられる。１対の突出部１４０Ａ、１４０Ｂは、１対のシャッター１３０Ａ、１３０Ｂにそれぞれ設けられた軌跡１３１Ａ、１３１Ｂに挿入される。回転ホイール１４０の外周には第１ギア部１４１が設けられる。また、回転ホイール１４０の外周には、第１ギア部１４１の両端部に第１、第２結合溝１４２、１４３が設けられる。ラッチ１５０は、下部カバー１２０に回動自在に設置される。ラッチ１５０は、回転ホイール１４０を選択的にロッキングさせることによりシャッター１３０Ａ、１３０Ｂの作動を選択的に許容または不許容するものであり、第２結合溝１４３に結合されるフック１５１と、このフック１５１が第２結合溝１４３に結合される方向に付勢するための弾性アーム１５２とを具備する。弾性アーム１５２は、下部カバー１２０の壁体に支持される。下部カバー１２０の一側部には、後述する開閉手段（図５の３１０）が、第１ギア部１４１と第１、第２結合溝１４２、１４３とにアクセスできるように開放された第１スロット１２２が設けられる。また、下部カバー１２０の一側部には、後述する開閉手段（図５の３１０）が、ラッチ１５０にアクセスできるように開放された第２スロット１２３に設けられる。
【００１９】
開口１２１が閉じられた状態では、図２に図示されたようにラッチ１５０のフック１５１が第２結合溝１４３に結合されて回転ホイール１４０がロッキングされる。また、回転ホイール１４０の第１結合溝１４２及びラッチ１５０の一端部１５３は、それぞれ第１、第２スロット１２２、１２３を通じてディスクカートリッジ１００の外部に露出されている。第１、第２スロット１２２、１２３を通じて、開閉手段３１０がラッチ１５０及び回転ホイール１４０にアクセスして回転ホイール１４０を回転させれば、突出部１４０Ａ、１４０Ｂと軌跡１３１Ａ、１３１Ｂとの相互作用によってシャッター１３０Ａ、１３０Ｂが回動されて、図３に図示されたように開口１２１が開く。
【００２０】
図４は、本発明によるディスクドライブの一実施例を図示した斜視図である。
【００２１】
図４中、ディスクＤを回転させるスピンドルモータ２１１及びディスクＤが載置されるターンテーブル２１０及び、そのディスクＤについて記録／再生作業を行うピックアップ２３０が設置された本体２００と、ディスクＤまたはそのディスクＤが収納されたディスクカートリッジ１００を収容して本体２００の内外に出入自在に設置されるトレイ２４０及び、本体２００を覆うカバー２０１とが図示されている。カバー２０１には、ディスクＤをターンテーブル２１０上にクランピングするためのクランパー２２０が設置されている。トレイ２４０は、本体２００に図４の矢印Ａ１、Ａ２の方向に摺動しつつローディング／アンローディングされる。
【００２２】
一方、トレイ２４０には、ディスクＤが収納されたディスクカートリッジ１００をトレイ２４０に弾力的に固定させ、かつディスクカートリッジ１００のないベアディスクＤをガイドするためのカートリッジガイド２５０がさらに備えられうる。カートリッジガイド２５０は、バネ２６０によってトレイ２４０に対して弾力的に支持されている。ディスクカートリッジ１００は、トレイ２４０の第１載置面２４１に載置される。すると、カートリッジガイド２５０は、ディスクカートリッジ１００により押されて後方に移動し、バネ２６０の弾性力によってディスクカートリッジ１００をトレイ２４０に弾力的に固定させる。ディスクカートリッジ１００をトレイ２４０から除去すれば、バネ２６０の復原力によってカートリッジガイド１００は元来の位置に復帰される。カートリッジガイド２５０の先端に設けられた湾曲部２５１は、第２載置面２４２の外周とほぼ同じ曲率を持つ。したがって、ベアディスクＤが第２載置面２４２に載置されれば、ディスクＤは、第２載置面２４２の外周及びカートリッジガイド２５０の湾曲部２５１によってその定着位置がガイドされる。
【００２３】
図５は、図４の平面図であり、図６は、図５に図示された開閉手段を詳細に図示した斜視図である。図５及び図６中、本体２００の一側部には、トレイ２４０のローディング／アンローディング動作と連動してディスクカートリッジ１００の開口１２１を開閉させるための開閉手段３１０が設けられる。開閉手段３１０は、回転ホイール１４０を回転させるために第１ギア部１４１と連結される第２ギア部３１３と、第２ギア部３１３の一端部に設けられる第１突起部３１４とを具備する。第１突起部３１４は、トレイ２４０がローディングされる時に回転ホイール１４０の第１結合溝１４２に結合されて、ラッチ１５０が第２結合溝１４３から解除された後に第２ギア部３１３が第１ギア部１４１に結合されるまでのみ回転ホイール１４０を一時的に回転させ、トレイ２４０がアンローディングされる時には回転ホイール１４０の第１結合溝１４２に結合されて、ラッチ１５０が第２結合溝１４３に結合されるまで回転ホイール１４０を一時的に回転させる。開閉手段３１０は、第２ギア部３１３の他端部に設けられる第２突起部３１５をさらに具備できる。第２突起部３１５は、ディスクカートリッジ１００の開口１２１が開放された状態で、回転ホイール１４０の第２結合溝１４３に結合されて回転ホイール１４０をロッキングさせる。また、第２突起部３１５は、トレイ２４０がアンローディングされる時には第２結合溝１４３に結合されて、第２ギア部３１３が第１ギア部１４１と結合されるまで回転ホイール１４０を一時的に回転させる。
【００２４】
本実施例の開閉手段３１０は、第２ギア部３１３と第１、第２突起部３１４、３１５とが一体になったものである。第１突起部３１４と第２突起部３１５とは、それぞれ第２ギア部３１３の両端部から延びた第１、第２弾性アーム３１１、３１２の端部に設けられる。このような構成によって、第１、第２突起部３１４、３１５は、第１、第２弾性アーム３１１、３１２の弾性によってディスクカートリッジ１００側、すなわち、第１、第２結合溝１４２、１４３に結合される方向に付勢されうる。また、図６に図示されたように、第１、第２突起部３１４、３１５をディスクカートリッジ１００側に付勢するために、第１、第２弾性アーム３１１、３１２の端部を弾力的に押す第１、第２弾性部材３２１、３２２をさらに具備することも可能である。
【００２５】
図７に図示されたように、第２ギア部３１３と第１、第２突起部３１４、３１５とがそれぞれ別途の部材で製作されて本体２００に結合されることもある。この場合に、第１、第２突起部３１４、３１５をディスクカートリッジ１００側に付勢する第１、第２弾性部材３２１、３２２がさらに備えられることが望ましく、第２ギア部３１３が第１ギア部１４１と安定的に結合されるように、第２ギア部３１３をディスクカートリッジ１００側に付勢する第３弾性部材３２３をさらに具備することも可能である。
【００２６】
図８は、図５のＢ部を詳細に図示した斜視図である。図８を見れば、トレイ２４０の一側部にはガイド部４１０が設けられる。ガイド部４１０は、トレイ２４０がローディング／アンローディングされる間に第１突起部３１４をラッチ１５０の一端部１５３と接触しないように回避させるためのものである。本実施例のガイド部４１０は、トレイ２００の一側部から突設され、ディスクカートリッジ１００が搭載された時にラッチ１５０の一端部１５３が露出される第２スロット部１２３の下方に位置する。図６及び図７に図示されたように、第１突起部３１４には、ガイド部４１０に接触する第１接触部３１６が設けられることが望ましい。また、ガイド部４１０は、トレイ２００がローディング／アンローディングされる間、第２突起部３１５をラッチ１５０の一端部１５３と接触しないように回避させることもある。そのために、第２突起部３１５には、ガイド部４１０に接触する第２接触部３１７が設けられることができる。
【００２７】
以下、図１ないし図８と、トレイのローディング／アンローディング過程を図示した図９ないし図１２を参照して本発明によるディスクドライブの作用効果を説明する。
【００２８】
ディスクカートリッジ１００をトレイ２４０の第１載置面２４１に搭載すれば、バネ２６０の弾性力によってディスクカートリッジ１００はトレイ２４０に弾力的に固定される。この時には、図２に図示されたように、ラッチ１５０のフック１５１が回転ホイール１４０の第２結合溝１４３に結合されているので、回転ホイール１４０は回転しない。また、回転ホイール１４０の第１結合溝１４２及びラッチ１５０の一端部１５３は、それぞれ第１、第２スロット１２２、１２３を通じてディスクカートリッジ１００の外部に露出されている。
【００２９】
トレイ２４０がＡ１方向に摺動して本体２００にローディングされ始めれば、第１突起部３１４がラッチ１５０の一端部１５３に接近する。この時、図９に図示されたように、第１突起部３１４の第１接触部３１６がガイド部４１０と接触しつつ第１弾性アーム３１１がＣ１方向に変形される。したがって、第１突起部３１４は、ラッチ１５０の一端部１５３と干渉しない所に位置し、回転ホイール１４０はロッキングされた状態を維持する。
【００３０】
トレイ２４０がＡ１方向に摺動され続ければ、図１０に図示されたように、第２ギア部３１３がラッチ１５０の一端部１５３を押してラッチ１５０をＤ１方向に回転させる。フック５１２が回転ホイール１４０の第２結合溝１４３から離脱して回転ホイール１４０のロッキングが解除される。この時、第１突起部３１４は、ディスクカートリッジ１００の第１スロット１２２を通じて回転ホイール１４０の第１結合溝１４２に結合され、トレイ２４０がＡ１方向に摺動され続けるにつれて、回転ホイール１４０は、第２ギア部３１３が第１ギア部１４１に結合されるまで第１突起部３１４によって回転される。
【００３１】
トレイ２４０がＡ１方向に摺動され続ければ、第１ギア部１４１と第２ギア部３１３との結合によって回転ホイール１４０が回転しつつ、シャッター１３０Ａ、１３０Ｂが図１１の矢印Ｅ１方向に回転して開口１２１が開き始める。この時、図面に図示されていないが、第２接触部３１７がガイド部４１０と接触しつつ第２弾性アーム３１２が撓んで、第２突起部３１５がラッチ１５０の一端部１５３と接触しなくなる。トレイ２４０のローディングが完了すれば、図１２に図示されたように、第２突起部３１５が回転ホイール１４０の第２結合溝１４３に結合されて回転ホイール１４０をロッキングさせる。したがって、ディスクカートリッジ１００を搭載したトレイ２４０が本体２００に完全にローディングされれば、開口１２１は開放された状態を保持する。
【００３２】
トレイ２４０がＡ２方向に摺動されてアンローディングされる過程は、前述したローディング過程の逆順である。図１２、図１１及び図１０に図示された過程を順に経つつシャッター１３０Ａ、１３０ＢがＥ２方向に回動して開口１２１が閉じられる。この場合に、第２突起部３１５が、第１ギア部１４１と第２ギア部３１３とが結合されるまで回転ホイール１４０を回転させる。第２突起部３１５は、ガイド部４１０によってラッチ１５０の一端部１５３と接触しないように回避される。第２ギア部３１３が、ラッチ１５０の一端部１５３を通過した後に、第１突起部３１４が回転ホイール１４０の第１結合溝１４２に結合されて、第２結合溝１４３とラッチ１５０のフック１５１とが互いに結合されるまで回転ホイール１４０を回転させる。ラッチ１５０が弾性アーム１５２の復原力によってＤ２方向（図１０）に回転して、第２結合溝１４３とフック１５１とが結合されれば、回転ホイール１４０はこれ以上回転しない。したがって、シャッター１３０Ａ、１３０Ｂは、開口１２１を閉じた状態でロッキングされる。第１突起部３１４は、図８に図示されたように、ガイド部４１０によってラッチ１５０の一端部１５３に接触しないように回避されるので、シャッター１３０Ａ、１３０ｂは、トレイ２４０が完全にアンローディングされるまでロッキングされた状態を保持する。
【００３３】
このような本発明によるディスクドライブによれば、第１、第２突起部３１４、３１５が不要にディスクカートリッジ１００の第２スロット部１２３及びラッチ１５０と接触しないので、トレイ２４０がローディング／アンローディングされる過程で不要な接触騷音が発生しない。また、過度な接触によって第１、第２突起部３１４、３１５、ディスクカートリッジ１００の第２スロット部１２３、ラッチ１５０の損傷を防止できて、信頼性のあるようにシャッター１３０Ａ、１３０Ｂをロッキング／アンロッキングさせることができる。
【００３４】
また、トレイ２４０がアンローディングされる時に第１突起部３１４がラッチ１５０の一端部１５３に接触すれば、ラッチ１５０がＤ１方向に回動して回転ホイール１４０のロッキングが解除されうる。すると、ディスクカートリッジ１００は、回転ホイール１４０がロッキングされない状態でトレイ２４０から除去される。この状態で、ディスクカートリッジ１００を携帯すれば、シャッター１３０Ａ、１３０Ｂが開いて開口１２１を通じてホコリなどの異物がディスクカートリッジ１００内部に流入されうる。しかし、本実施例によれば、ディスクカートリッジ１００がトレイ２４０に搭載されてローディング／アンローディングされる過程で、第１突起部３１４がラッチ１５０と接触しないようになっているので、回転ホイール１４０のロッキングが解除された状態でディスクカートリッジ１００がトレイ２４０から除去されることが発生しない。
【００３５】
図７に図示されたように、第２ギア部３１３と第１、第２突起部３１４、３１５とが別々になっている開閉手段３１０を採用する場合には、ガイド部４１０との接触によって、第１、第２突起部３１４、３１５が第１、第２弾性部材３２１、３２２の弾性力の方向と逆方向に押されることにより、第１、第２突起部３１４、３１５とラッチ１５０の一端部１５３との接触が回避される。また、ガイド部４１０は、トレイ２４０がローディング／アンローディングされる過程で、第１、第２突起部３１４、３１５が第２スロット部１２３と接触しないように第１、第２突起部３１４、３１５を回避させる役割を行う。
【００３６】
図１３は、本発明によるディスクドライブの他の実施例を図示した斜視図であり、図１４は、ディスクカートリッジの背面図である。以下で図１ないし図１２に図示された構成要素と実質的にその機能が同じ構成要素は同じ参照符号で表示し、重複される説明は省略する。
【００３７】
図１４に図示されたように、第１スロット部１２２は、一般的にその両端部１２２Ａ、１２２Ｂが鋭いエッジ形態となる。トレイ２４０がローディング／アンローディングされる間に第１、第２突起部３１４、３１５が回転ホイール１４０にアクセスできるように、第１スロット部１２２の両端部１２２Ａ、１２２Ｂは第１、第２突起部３１４、３１５を過ぎるようになっている。しかし、第１スロット部１２２の両端部１２２Ａ、１２２Ｂが第１、第２突起部３１４、３１５と接触すれば騷音が発生する。また、第１、第２突起部３１４、３１５と第１スロット部１２２の両端部１２２Ａ、１２２Ｂとが反復的に接触すれば、第１スロット部１２２の両端部１２２Ａ、１２２Ｂまたは第１、第２突起部３１４、３１５が破損しうる。
【００３８】
第１、第２突起部３１４、３１５と第１スロット部１２２の両端部１２２Ａ、１２２Ｂとの干渉を防止するために、図１３を見れば、トレイ２４０の一側部に第１接触防止部４２０が設けられる。本実施例の第１接触防止部４２０は、トレイ２４０の一側部から突設される。第１接触防止部４２０は、ディスクカートリッジ１００がトレイ２４０に搭載された時、第１スロット部１２２の両端部１２２Ａ、１２２Ｂの下方に位置する。
【００３９】
ディスクカートリッジ１００は、トレイ２４０の所定位置に搭載されねばならない。そのために、ディスクカートリッジ１００の一側部には図１４に図示されたような埋込部１６０が設けられ、トレイ２４０には図１３に図示されたように埋込部１６０に挿入される結合部２４３が設けられうる。ディスクカートリッジ１００に収納されたディスクは、一般的にその記録面が下方に位置し、開口１２１もまた記録面側に位置する。したがって、ディスクカートリッジ１００は、トレイ２４０に搭載される時、開口１２１がスピンドルモータ２１０及びピックアップ２３０側に向かうように搭載されねばならない。埋込部１６０を、上部は閉鎖され下部は開放された形で形成すれば、ディスクカートリッジ１００がひっくり返されて搭載されることを防止できる。すなわち、ディスクカートリッジ１００がひっくり返された場合には、埋込部１６０の上部が閉鎖されているので結合部２４３が埋込部１６０に挿入されることができず、ユーザーはディスクカートリッジ１００がひっくり返されたということを認識できる。トレイ２４０がローディング／アンローディングされる過程で、第１、第２突起部３１４、３１５は埋込部１６０を過ぎるようになっている。この過程で、埋込部１６０との反復的な接触によって、接触騷音や第１、第２突起部３１４、３１５の破損が誘発されうる。それを防止するために図１３に図示されたように、トレイ２４０の一側部に第２接触防止部４３０がさらに設けられることがある。本実施例では、埋込部１６０がディスクカートリッジ１００の末端側に設けられているので、トレイ２４０のローディング／アンローディング過程で第１突起部３１４のみ埋込部１６０を過ぎるようになっているが、埋込部１６０の形成位置によっては第１、第２突起部３１４、３１５が埋込部１６０を過ぎることもある。本実施例の第２接触防止部４３０は、トレイ２４０の一側部から突設される。第２接触防止部４３０は、ディスクカートリッジ１００がトレイ２４０に搭載された時に埋込部１６０の下方に位置する。
【００４０】
第１、第２接触防止部４２０、４３０の役割はガイド部４１０の役割とほぼ同一である。すなわち、トレイ２４０がローディング／アンローディングされる時に、第１スロット部１２２の両端部１２２Ａ、１２２Ｂが第１、第２突起部３１４、３１５に接近すれば、第１、第２接触部３１６、３１７が先ず第１接触防止部４２０に接触しつつ第１、第２弾性アーム３１１、３１２が図９のＣ１方向に撓む。したがって、第１、第２突起部３１４、３１５は、第１スロット部１２２の両端部１２２Ａ、１２２Ｂを回避して回転ホイール１４０にアクセスされる。また、トレイ２４０のローディングがほとんど完了した状態になれば、埋込部１６０が第１突起部３１４に接近するが、この時には第２接触防止部４３０が第１接触部３１６に接触しつつ第１弾性アーム３１１が図９のＣ１方向に撓み、第１突起部３１４は埋込部１６０を回避する。
【００４１】
このような本発明によるディスクドライブによれば、第１、第２突起部３１４、３１５が不要にディスクカートリッジ１００の第１スロット部１２２や埋込部１６０と接触しないので、トレイ２４０がローディング／アンローディングされる過程で不要な接触騷音が発生しない。また、過度な接触による第１、第２突起部３１４、３１５、ディスクカートリッジ１００の第１スロット部１２２、埋込部１６０の損傷を防止できて、信頼性あるようにシャッター１３０Ａ、１３０Ｂをロッキング／アンロッキングさせることができる。
【００４２】
図７に図示されたように、第２ギア部３１３と第１、第２突起部３１４、３１５とが別々になっている開閉手段３１０を採用する場合には、第１、第２接触防止部４２０、４３０との接触によって第１、第２突起部３１４、３１５が第１、第２弾性部材３２１、３２２の弾性力の方向と逆方向に押されることにより、第１、第２突起部３１４、３１５と第１スロット部１２２や埋込部１６０との接触が回避される。
【００４３】
本発明は前記に説明されて図面に例示されたものにより限定されるものではなく、特許請求の範囲内でさらに多くの変形及び変容例が可能であるということは言うまでもない。
【産業上の利用可能性】
【００４４】
本発明は、ディスクカートリッジを搭載するディスクドライブにおいて、開口を開閉する過程で騷音を減らして信頼性あるように開口を開閉するために適用される。
【図面の簡単な説明】
【００４５】
【図１】本発明によるディスクドライブに採用されるディスクカートリッジの一例を図示した分解斜視図である。
【図２】図１に図示されたディスクカートリッジの開口が閉じられた状態を図示した平面図である。
【図３】図１に図示されたディスクカートリッジの開口が開いた状態を図示した平面図である。
【図４】本発明によるディスクドライブの一実施例を図示した斜視図である。
【図５】図４の平面図である。
【図６】図５に図示された開閉手段を詳細に図示した斜視図である。
【図７】開閉手段の他の実施例を図示した斜視図である。
【図８】図５のＢ部を詳細に図示した斜視図である。
【図９】ガイド部の作用を示す斜視図である。
【図１０】ディスクカートリッジのローディング／アンローディング過程を段階的に図示した平面図である。
【図１１】ディスクカートリッジのローディング／アンローディング過程を段階的に図示した平面図である。
【図１２】ディスクカートリッジのローディング／アンローディング過程を段階的に図示した平面図である。
【図１３】本発明によるディスクドライブの他の実施例を図示した斜視図である。
【図１４】ディスクカートリッジの背面図である。
【符号の説明】
【００４６】
１００  ディスクカートリッジ
２００  本体
２０１  カバー
２１０  ターンテーブル
２１１  スピンドルモータ
２２０  クランパー
２３０  ピックアップ
２４０  トレイ
２４１  第１載置面
２４２  第２載置面
２５０  カートリッジガイド
２５１  湾曲部
２６０  バネ
Ｄ      ディスク
【図１】
2005228467.tif 000003
【図２】
2005228467.tif 000004
【図３】
2005228467.tif 000005
【図４】
2005228467.tif 000006
【図５】
2005228467.tif 000007
【図６】
2005228467.tif 000008
【図７】
2005228467.tif 000009
【図８】
2005228467.tif 000010
【図９】
2005228467.tif 000011
【図１０】
2005228467.tif 000012
【図１１】
2005228467.tif 000013
【図１２】
2005228467.tif 000014
【図１３】
2005228467.tif 000015
【図１４】
2005228467.tif 000016